(57)【要約】      （修正有）【課題】トイレットペーパーロールの取付けが容易で、指先の動作が不自由な人でも、蓋板の下に重なったペーパー先端部分の繰り出しを容易に行なうことができ、しかもロールの巻き芯の内径が異なっていても、芯の内径に合わせてロールを支持することができるトイレットペーパーホルダーを提供する。【解決手段】背面板２の前面上部に蓋板４を上下に開閉自在に取付けると共に、背面板の左右端部の一方に側板を前方に突出させ、この側板にロール支持軸８を片持ち支持して回転自在に取付け、このロール支持軸の側板を貫通する端部に回転ハンドルを取付けると共に、ロール支持軸の外周、長手方向に沿ってスプリング線１０を取り付け、その弾性により、トイレットペーパーロール１３の巻き芯１４の内径に合わせてロールを支持する。【選択図】図２
0003192124.tif 000002
【実用新案登録請求の範囲】
【請求項１】
背面板の前面上部に蓋板を上下に開閉自在に取付けると共に、背面板の左右端部の何れか一方に側板を前方に突出させ、この側板にロール支持軸を片持ち支持して回転自在に取付け、このロール支持軸の側板を貫通する端部に回転ハンドルを取付けると共に、前記ロール支持軸はトイレットペーパーロールの巻き芯の内径に合わせて調整できることを特徴とするトイレットペーパーホルダー。
【請求項２】
ロール支持軸は、外周の長手方向に沿ってスプリングを取付けてスプリングの弾性により、トイレットペーパーロールの巻き芯の内周に合わせて調整できることを特徴とする請求項１記載のトイレットペーパーホルダー。  
【請求項３】
ロール支持軸は、外周に植毛してブラシ状に形成し、その弾性によりトイレットペーパーロールの巻き芯の内周に合わせて調整できることを特徴とする請求項１記載のトイレットペーパーホルダー。
【請求項４】
ロール支持軸を片持ち支持した側板を、背面板の左右端部の何れか一方に脱着自在に取付けるようにしたことを特徴とする請求項１記載のトイレットペーパーホルダー。
【考案の詳細な説明】
【技術分野】
【０００１】
本考案は、先端を引き出し易く改良したトイレットペーパーホルダーに関するものである。
【背景技術】
【０００２】
従来、種々のトイレットペーパーホルダーが開発されている。トイレットペーパーを使用する場合、トイレットペーパーホルダーに回転自在に支持されたトイレットペーパーロールから片手で先端をつまんで必要長さだけペーパーを繰り出し、蓋板を他方の手で抑えてペーパーを引き上げて蓋板の先端で切断して使用している。このため、蓋板の下にペーパーの切断部分が重なり、次に引き出す時に剥がしにくい問題があった。ペーパーの厚さが厚い場合には、比較的剥がし易いが、特に長尺で薄いペーパーの場合、指先の動作が不自由な人にとっては剥がしにくく面倒であった。
【０００３】
このため、トイレットペーパーホルダーのロール支持軸に回転ハンドルを取付け、最初にペーパーを繰り出す時に回転ハンドルを手で回転させて、ロール支持軸に支持されたロールが回転することにより取り出し易くしたトイレットペーパーホルダー（特許文献１）が提案されている。
【０００４】
しかしながらこのトイレットペーパーホルダーは、ロール支持軸の両端が左右の側板に支持され、ロールを支持軸に取付ける時に、どのように支持軸を取り外すのかその構成が不明である。しかも市販されているトイレットペーパーはロールの巻き芯の内径が様々で、芯の内径がロール支持軸の外径より大きい場合に、空廻りしないための構成が示されておらず実用性のないものである。
【先行技術文献】
【特許文献】
【０００５】
【特許文献１】実開平３―３３５８９号公報
【考案の概要】
【考案が解決しようとする課題】
【０００６】
本考案は上記問題を改善し、トイレットペーパーロールの取付けが容易で、指先の動作が不自由な人でも、蓋板の下に重なったペーパー先端部分の繰り出しを容易に行なうことができ、しかもロールの巻き芯の内径が異なっていても、芯の内径に合わせてロールを支持することができるトイレットペーパーホルダーを提供するものである。
【課題を解決するための手段】
【０００７】
本考案の請求項１記載のトイレットペーパーホルダーは、背面板の前面上部に蓋板を上下に開閉自在に取付けると共に、背面板の左右端部の何れか一方に側板を前方に突出させ、この側板にロール支持軸を片持ち支持して回転自在に取付け、このロール支持軸の側板を貫通する端部に回転ハンドルを取付けると共に、前記ロール支持軸はトイレットペーパーロールの巻き芯の内径に合わせて調整できることを特徴とするものである。
【０００８】
本考案の請求項２記載のトイレットペーパーホルダーは、請求項１において、ロール支持軸は、外周の長手方向に沿ってスプリングを取付けてスプリングの弾性により、トイレットペーパーロールの巻き芯の内周に合わせて調整できることを特徴とするものである。
【０００９】
本考案の請求項３記載のトイレットペーパーホルダーは、請求項１において、ロール支持軸は、外周に植毛してブラシ状に形成し、その弾性によりトイレットペーパーロールの巻き芯の内周に合わせて調整できることを特徴とするものである。
【００１０】
本考案の請求項４記載のトイレットペーパーホルダーは、請求項１において、ロール支持軸を片持ち支持した側板を、背面板の左右端部の何れか一方に脱着自在に取付けるようにしたことを特徴とするものである。
【考案の効果】
【００１１】
本考案に係る請求項１記載のトイレットペーパーホルダーによれば、側板が設けられていない解放された側面側から、ペーパーロールを片持ち支持されたロール支持軸に装着して取付けるので交換が容易である。また回転ハンドルを回転させることにより蓋板の下に重なったペーパーの先端部分が繰り出されてくるので指先の動作が不自由な人でも容易に取り出すことができる。更にペーパーロールの巻き芯の内径が多少異なっていても、内径に合わせて調整できるのでしっかり支持することができる。
【００１２】
また請求項２記載のトイレットペーパーホルダーによれば、ロール支持軸は、外周の長手方向に沿ってスプリングを取付けてスプリングの弾性により、トイレットペーパーロールの巻き芯の内周に合わせて調整することができる。
【００１３】
また請求項３記載のトイレットペーパーホルダーによれば、ロール支持軸は外周に植毛してブラシ状に形成し、その弾性によりトイレットペーパーロールの巻き芯の内周に合わせて調整することができる。
【００１４】
また請求項４記載のトイレットペーパーホルダーによれば、ロール支持軸を設けた側板を背面板の何れか一方に脱着自在に取付けるようにしたので、回転ハンドルに合わせて、左右どちらの方向からも壁に取付けることができる。
【考案を実施するための最良の形態】
【００１５】
以下本考案の実施の一形態を図１ないし図３を参照して詳細に説明する。図において１はトイレットペーパーホルダーを示すもので、壁に取付ける背面板２の前面上部に、先端にのこぎり刃３を形成した蓋板４が、図２に示すようにヒンジ５で上下に開閉自在に取付けられている。
【００１６】
背面板２の前面の右端部に側板６が前方に突出して形成され、この側板６にロール支持軸８が片持ち支持されている。このロール支持軸８は、円柱状の軸棒９の周面に９０度間隔に波形のスプリング線１０がその長手方向に沿って設けられ、スプリング１０の両端が軸棒９に固定されている。
【００１７】
またロール支持軸８の一方の軸端８Ａは、側板６に嵌め込んだベアリング１０に回転自在に支持され、更に側板６を貫通した軸端８Ａに円板状の回転ハンドル１２が接合されている。なお図において１３はロール支持軸８に取付けたトイレットペーパーロール、１４はその巻き芯である。
【００１８】
上記構成のトイレットペーパーホルダー１は、図２に示すように蓋板４を持ち上げて、側板６が設けられていない解放された側面側から、片持ち支持されたロール支持軸８にペーパーロール１３の巻き芯１４を装着して取付ける。この場合、巻き芯１４の内周にスプリング線１０が十字状に接触して、その弾性により押し縮められて、しっかりと保持される。この後、蓋板４を手前に倒してペーパーロール１３の上に重ねる。
【００１９】
ペーパー１３Ａを使用する場合、片手で回転ハンドル１２を手前側に回転させると、回転ハンドル１２と一体に接続されたロール支持軸８に支持されたトイレットペーパーロール１３も回転し、図１に示すように蓋板４の下にあったペーパー１３Ａの先端部が繰り出されてくる。このようにしてペーパー１３Ａの先端部がペーパーロール１３の表面から離れるので、この先端部をつまんで引っ張るとペーパー１３Ａが引き出され、必要量を引き出した所で蓋板４を他方の手で押さえてペーパー１３Ａを引き上げると蓋板４ののこぎり刃３で切断される。なおこの場合、回転ハンドル１２を矢印と逆回転させて、後側からペーパー１３Ａの先端部を落とすようにして取り出しても良い。
【００２０】
従って、側板６が設けられていない解放された側面側から、ペーパーロール１３を片持ち支持されたロール支持軸８に装着して取付けるので交換が容易である。また回転ハンドル１２を回転させることにより蓋板４の下に重なったペーパー１３Ａの先端部分が繰り出されてくるので指先の動作が不自由な人でも容易に取り出すことができる。また、ペーパーロール１３の巻き芯１４の内径が異なっていても、スプリング線１０の弾性によりしっかり支持することができる。
【００２１】
図４は本考案の他の実施の形態を示すもので、図４（Ａ）に示すように背面板２を平面コ字形に形成し、その前面両端側の突出部２Ａ、２Ａに側板６がビス１５で脱着自在に取付けられている。側板６は中央部にロール支持軸８の一方の軸端８Ａは、図３と同様に側板６に嵌め込んだベアリング１０に回転自在に支持され、更に側板６を貫通した軸端８Ａに円板状の回転ハンドル１２が接合されている。
【００２２】
このロール支持軸８を片持ち支持した側板６は、トイレットペーパーホルダー１を壁に取付けた時の方向により、回転ハンドル１２が見えない場合には、背面板２の突出部２Ａに側板６を固定していたビス１５を外して側板６を分離し、側板６を反転させて図４（Ｂ）に示すように反対側の突出部２Ａにビス１５で固定することにより、左右どちらの方向からも壁に取付けることができる。
【００２３】
図５は本考案の異なる他の実施の形態を示すもので、ロール支持軸８は間隔をおいて配置した２枚の円板１６の間を湾曲した複数本のスプリング線１０で一体に連結し、円板１６の外周に植毛してブラシ１８を形成したものである。これはペーパーロール１３を装着した時に、巻き芯１４の内周に太鼓状に湾曲した複数本のスプリング線１０の弾性とブラシ１８の弾性によりペーパーロール１３の巻き芯１４を内側から支持してしっかりと保持される。なおこの場合、スプリング線１０の代わりに板状のスプリング板を用いた構造でも良い。
【００２４】
図６は本考案の異なる他の実施の形態を示すもので、ロール支持軸８を構成する軸棒９の外周にその軸方向に沿って帯状のブラシ１８を、周方向に沿って間隔をおいて十字状に突設したものである。これはペーパーロール１３を装着した時に、巻き芯１４の内周に帯状のブラシ１８が十字状に接触して、その弾性によりペーパーロール１３の巻き芯１４を内側から支持してしっかりと保持される。なお軸棒９の外周全体に植毛してブラシ１８を形成した構造でも良い。
【００２５】
図７は本考案の異なる他の実施の形態を示すもので、ロール支持軸８の軸棒９を先端の外径が細いテーパー状に形成したものである。これはペーパーロール１３を装着した時に、巻き芯１４の内周にテーパー状の軸棒９が食い込んで支持されるので、巻き芯１４の内径が多少異なっていてもしっかりと保持することができる。なお蓋板４の先端にのこぎり刃を設けない構造でも良い。
【図面の簡単な説明】
【００２６】
【図１】本考案の実施の一形態によるトイレットペーパーホルダーの斜視図である。
【図２】図１のトイレットペーパーホルダーの蓋板を上げた状態で左側から見た斜視図である。
【図３】図１に示すトイレットペーパーホルダーの断面図である。
【図４】（Ａ）は本考案の他の実施の形態による側板を背面板の右側に取付けたトイレットペーパーホルダーの斜視図で、（Ｂ）は側板を背面板の左側に取付けたトイレットペーパーホルダーの斜視図である。
【図５】本考案の他の実施の形態によるロール支持軸をスプリング線とブラシで形成したトイレットペーパーホルダーの断面図である。
【図６】本考案の異なる他の実施の形態によるロール支持軸の外周に、帯状のブラシを十字状に突設したトイレットペーパーホルダーの斜視図である。
【図７】本考案の異なる他の実施の形態によるロール支持軸をテーパー状に形成したトイレットペーパーホルダーの断面図である。
【符号の説明】
【００２７】
１    トイレットペーパーホルダー                            
２    背面板                                                
２Ａ  突出部                                                
３    のこぎり刃                                            
４    蓋板                                                  
５    ヒンジ                                                
６    側板                                                  
８    ロール支持軸                                          
８Ａ  軸端                                                  
９    軸棒                                                  
１０  スプリング線                                          
１１  ベアリング                                            
１２  回転ハンドル                                          
１３  ペーパーロール                                        
１３Ａ  ペーパー                                            
１４  巻き芯                                                
１５  ビス                                                  
１６  円板                                                  
１８  ブラシ                                                
【図１】
0003192124.tif 000003
【図２】
0003192124.tif 000004
【図３】
0003192124.tif 000005
【図４】
0003192124.tif 000006
【図５】
0003192124.tif 000007
【図６】
0003192124.tif 000008
【図７】
0003192124.tif 000009
【手続補正書】
【提出日】平成26年6月3日(2014.6.3)
【手続補正１】
【補正対象書類名】明細書
【補正対象項目名】全文
【補正方法】変更
【補正の内容】
【考案の詳細な説明】
【技術分野】
【０００１】
本考案は、先端を引き出し易く改良したトイレットペーパーホルダーに関するものである。
【背景技術】
【０００２】
従来、種々のトイレットペーパーホルダーが開発されている。トイレットペーパーを使用する場合、トイレットペーパーホルダーに回転自在に支持されたトイレットペーパーロールから片手で先端をつまんで必要長さだけペーパーを繰り出し、蓋板を他方の手で抑えてペーパーを引き上げて蓋板の先端で切断して使用している。このため、蓋板の下にペーパーの切断部分が重なり、次に引き出す時に剥がしにくい問題があった。ペーパーの厚さが厚い場合には、比較的剥がし易いが、特に長尺で薄いペーパーの場合、指先の動作が不自由な人にとっては剥がしにくく面倒であった。
【０００３】
このため、トイレットペーパーホルダーのロール支持軸に回転ハンドルを取付け、最初にペーパーを繰り出す時に回転ハンドルを手で回転させて、ロール支持軸に支持されたロールが回転することにより取り出し易くしたトイレットペーパーホルダー（特許文献１）が提案されている。
【０００４】
しかしながらこのトイレットペーパーホルダーは、ロール支持軸の両端が左右の側板に支持され、ロールを支持軸に取付ける時に、どのように支持軸を取り外すのかその構成が不明である。しかも市販されているトイレットペーパーはロールの巻き芯の内径が様々で、芯の内径がロール支持軸の外径より大きい場合に、空廻りしないための構成が示されておらず実用性のないものである。
【先行技術文献】
【特許文献】
【０００５】
【特許文献１】実開平３―３３５８９号公報
【考案の概要】
【考案が解決しようとする課題】
【０００６】
本考案は上記問題を改善し、トイレットペーパーロールの取付けが容易で、指先の動作が不自由な人でも、蓋板の下に重なったペーパー先端部分の繰り出しを容易に行なうことができ、しかもロールの巻き芯の内径が異なっていても、芯の内径に合わせてロールを支持することができるトイレットペーパーホルダーを提供するものである。
【課題を解決するための手段】
【０００７】
本考案の請求項１記載のトイレットペーパーホルダーは、背面板の前面上部に蓋板を上下に開閉自在に取付けると共に、背面板の左右端部の何れか一方に側板を前方に突出させ、この側板にロール支持軸を片持ち支持して回転自在に取付け、このロール支持軸の側板を貫通する端部に回転ハンドルを取付けると共に、前記ロール支持軸の外周に、トイレットペーパーロールの巻き芯の内径より外径の大きい弾性体を設けたことを特徴とするものである。
【０００８】
本考案の請求項２記載のトイレットペーパーホルダーは、請求項１において、ロール支持軸の外周に設けた弾性体が、スプリングで形成されていることを特徴とするものである。
【０００９】
本考案の請求項３記載のトイレットペーパーホルダーは、請求項１において、ロール支持軸の外周に設けた弾性体が、ブラシで形成されていることを特徴とするものである。
【００１０】
本考案の請求項４記載のトイレットペーパーホルダーは、請求項１において、ロール支持軸を片持ち支持した側板を、背面板の左右端部の何れか一方に脱着自在に取付けるようにしたことを特徴とするものである。
【考案の効果】
【００１１】
本考案に係る請求項１記載のトイレットペーパーホルダーによれば、側板が設けられていない解放された側面側から、ペーパーロールを片持ち支持されたロール支持軸に装着して取付けるので交換が容易である。また回転ハンドルを回転させることにより蓋板の下に重なったペーパーの先端部分が繰り出されてくるので指先の動作が不自由な人でも容易に取り出すことができる。更にロール支持軸の外周に、トイレットペーパーロールの巻き芯の内径より外径の大きい弾性体を設けたのでペーパーロールの巻き芯の内径が多少異なっていても、内径に合わせてしっかり支持することができる。
【００１２】
また請求項２記載のトイレットペーパーホルダーによれば、ロール支持軸の外周に設けた弾性体が、スプリングで形成されているので、スプリングの弾性により、トイレットペーパーロールの巻き芯の内径に合わせてしっかり支持することができる。
【００１３】
また請求項３記載のトイレットペーパーホルダーによれば、ロール支持軸の外周に設けた弾性体が、ブラシで形成されているので、その弾性によりトイレットペーパーロールの巻き芯の内径に合わせてしっかり支持することができる。
【００１４】
また請求項４記載のトイレットペーパーホルダーによれば、ロール支持軸を設けた側板を背面板の何れか一方に脱着自在に取付けるようにしたので、回転ハンドルに合わせて、左右どちらの方向からも壁に取付けることができる。
【考案を実施するための最良の形態】
【００１５】
以下本考案の実施の一形態を図１ないし図３を参照して詳細に説明する。図において１はトイレットペーパーホルダーを示すもので、壁に取付ける背面板２の前面上部に、先端にのこぎり刃３を形成した蓋板４が、図２に示すようにヒンジ５で上下に開閉自在に取付けられている。
【００１６】
背面板２の前面の右端部に側板６が前方に突出して形成され、この側板６にロール支持軸８が片持ち支持されている。このロール支持軸８は、円柱状の軸棒９の周面に９０度間隔に波形のスプリング線１０がその長手方向に沿って設けられ、スプリング１０の両端が軸棒９に固定されている。
【００１７】
またロール支持軸８の一方の軸端８Ａは、側板６に嵌め込んだベアリング１０に回転自在に支持され、更に側板６を貫通した軸端８Ａに円板状の回転ハンドル１２が接合されている。なお図において１３はロール支持軸８に取付けたトイレットペーパーロール、１４はその巻き芯である。
【００１８】
上記構成のトイレットペーパーホルダー１は、図２に示すように蓋板４を持ち上げて、側板６が設けられていない解放された側面側から、片持ち支持されたロール支持軸８にペーパーロール１３の巻き芯１４を装着して取付ける。この場合、巻き芯１４の内周にスプリング線１０が十字状に接触して、その弾性により押し縮められて、しっかりと保持される。この後、蓋板４を手前に倒してペーパーロール１３の上に重ねる。
【００１９】
ペーパー１３Ａを使用する場合、片手で回転ハンドル１２を手前側に回転させると、回転ハンドル１２と一体に接続されたロール支持軸８に支持されたトイレットペーパーロール１３も回転し、図１に示すように蓋板４の下にあったペーパー１３Ａの先端部が繰り出されてくる。このようにしてペーパー１３Ａの先端部がペーパーロール１３の表面から離れるので、この先端部をつまんで引っ張るとペーパー１３Ａが引き出され、必要量を引き出した所で蓋板４を他方の手で押さえてペーパー１３Ａを引き上げると蓋板４ののこぎり刃３で切断される。なおこの場合、回転ハンドル１２を矢印と逆回転させて、後側からペーパー１３Ａの先端部を落とすようにして取り出しても良い。
【００２０】
従って、側板６が設けられていない解放された側面側から、ペーパーロール１３を片持ち支持されたロール支持軸８に装着して取付けるので交換が容易である。また回転ハンドル１２を回転させることにより蓋板４の下に重なったペーパー１３Ａの先端部分が繰り出されてくるので指先の動作が不自由な人でも容易に取り出すことができる。また、ペーパーロール１３の巻き芯１４の内径が異なっていても、スプリング線１０の弾性によりしっかり支持することができる。
【００２１】
図４は本考案の他の実施の形態を示すもので、図４（Ａ）に示すように背面板２を平面コ字形に形成し、その前面両端側の突出部２Ａ、２Ａに側板６がビス１５で脱着自在に取付けられている。側板６は中央部にロール支持軸８の一方の軸端８Ａは、図３と同様に側板６に嵌め込んだベアリング１０に回転自在に支持され、更に側板６を貫通した軸端８Ａに円板状の回転ハンドル１２が接合されている。
【００２２】
このロール支持軸８を片持ち支持した側板６は、トイレットペーパーホルダー１を壁に取付けた時の方向により、回転ハンドル１２が見えない場合には、背面板２の突出部２Ａに側板６を固定していたビス１５を外して側板６を分離し、側板６を反転させて図４（Ｂ）に示すように反対側の突出部２Ａにビス１５で固定することにより、左右どちらの方向からも壁に取付けることができる。
【００２３】
図５は本考案の異なる他の実施の形態を示すもので、ロール支持軸８は間隔をおいて配置した２枚の円板１６の間を湾曲した複数本のスプリング線１０で一体に連結し、円板１６の外周に植毛してブラシ１８を形成したものである。これはペーパーロール１３を装着した時に、巻き芯１４の内周に太鼓状に湾曲した複数本のスプリング線１０の弾性とブラシ１８の弾性によりペーパーロール１３の巻き芯１４を内側から支持してしっかりと保持される。なおこの場合、スプリング線１０の代わりに板状のスプリング板を用いた構造でも良い。
【００２４】
図６は本考案の異なる他の実施の形態を示すもので、ロール支持軸８を構成する軸棒９の外周にその軸方向に沿って帯状のブラシ１８を、周方向に沿って間隔をおいて十字状に突設したものである。これはペーパーロール１３を装着した時に、巻き芯１４の内周に帯状のブラシ１８が十字状に接触して、その弾性によりペーパーロール１３の巻き芯１４を内側から支持してしっかりと保持される。なお軸棒９の外周全体に植毛してブラシ１８を形成した構造でも良い。
【００２５】
図７は本考案の異なる他の実施の形態を示すもので、ロール支持軸８の軸棒９を先端の外径が細いテーパー状に形成したものである。これはペーパーロール１３を装着した時に、巻き芯１４の内周にテーパー状の軸棒９が食い込んで支持されるので、巻き芯１４の内径が多少異なっていてもしっかりと保持することができる。なお蓋板４の先端にのこぎり刃を設けない構造でも良い。
【図面の簡単な説明】
【００２６】
【図１】本考案の実施の一形態によるトイレットペーパーホルダーの斜視図である。
【図２】図１のトイレットペーパーホルダーの蓋板を上げた状態で左側から見た斜視図である。
【図３】図１に示すトイレットペーパーホルダーの断面図である。
【図４】（Ａ）は本考案の他の実施の形態による側板を背面板の右側に取付けたトイレットペーパーホルダーの斜視図で、（Ｂ）は側板を背面板の左側に取付けたトイレットペーパーホルダーの斜視図である。
【図５】本考案の他の実施の形態によるロール支持軸をスプリング線とブラシで形成したトイレットペーパーホルダーの断面図である。
【図６】本考案の異なる他の実施の形態によるロール支持軸の外周に、帯状のブラシを十字状に突設したトイレットペーパーホルダーの斜視図である。
【図７】本考案の異なる他の実施の形態によるロール支持軸をテーパー状に形成したトイレットペーパーホルダーの断面図である。
【符号の説明】
【００２７】
１    トイレットペーパーホルダー                            
２    背面板                                                
２Ａ  突出部                                                
３    のこぎり刃                                            
４    蓋板                                                  
５    ヒンジ                                                
６    側板                                                  
８    ロール支持軸                                          
８Ａ  軸端                                                  
９    軸棒                                                  
１０  スプリング線                                          
１１  ベアリング                                            
１２  回転ハンドル                                          
１３  ペーパーロール                                        
１３Ａ  ペーパー                                            
１４  巻き芯                                                
１５  ビス                                                  
１６  円板                                                  
１８  ブラシ                                                
【手続補正２】
【補正対象書類名】実用新案登録請求の範囲
【補正対象項目名】全文
【補正方法】変更
【補正の内容】
【実用新案登録請求の範囲】
【請求項１】
背面板の前面上部に蓋板を上下に開閉自在に取付けると共に、背面板の左右端部の何れか一方に側板を前方に突出させ、この側板にロール支持軸を片持ち支持して回転自在に取付け、このロール支持軸の側板を貫通する端部に回転ハンドルを取付けると共に、前記ロール支持軸の外周に、トイレットペーパーロールの巻き芯の内径より外径の大きい弾性体を設けたことを特徴とするトイレットペーパーホルダー。
【請求項２】
ロール支持軸の外周に設けた弾性体が、スプリングで形成されていることを特徴とする請求項１記載のトイレットペーパーホルダー。
【請求項３】
ロール支持軸の外周に設けた弾性体が、ブラシで形成されていることを特徴とする請求項１記載のトイレットペーパーホルダー。
【請求項４】
ロール支持軸を片持ち支持した側板を、背面板の左右端部の何れか一方に脱着自在に取付けるようにしたことを特徴とする請求項１記載のトイレットペーパーホルダー。